(57)【要約】【課題】画像形成装置と給紙装置で独立して用紙設定可能であり、その設定が不一致の場合に不具合を防止しつつ画像形成を継続する。【解決手段】用紙について設定可能な給紙装置に接続され、給紙装置から用紙の供給を受け、給紙装置における設定とは独立して用紙について設定可能な画像形成装置において、給紙装置から送られる用紙のサイズとして、用紙の搬送方向である副走査幅と、該副走査幅と直交する方向の主走査幅を検知する検知部と、用紙に画像を形成する画像形成部と、画像の形成について制御すると共に、いずれかの部位に対して通知するメッセージを生成する制御部と、を備え、制御部は、画像形成装置に設定されている用紙のサイズと検知部で検知された用紙のサイズとを比較し、比較により不一致が発生した場合に、不一致の原因が、主走査幅又は副走査幅のいずれであるかにより、不一致に対するメッセージの内容を切り替える。【選択図】図１
2016051155.tif 000002
【特許請求の範囲】
【請求項１】
用紙について設定可能な給紙装置に接続され、前記給紙装置から用紙の供給を受け、前記給紙装置における設定とは独立して用紙について設定可能な画像形成装置であって、
前記給紙装置から送られる用紙のサイズとして、前記用紙の搬送方向である副走査幅と、該副走査幅と直交する方向の主走査幅を検知する検知部と、
前記用紙に画像を形成する画像形成部と、
画像の形成について制御すると共に、いずれかの部位に対して通知するメッセージを生成する制御部と、を備え、
前記制御部は、前記画像形成装置に設定されている前記用紙のサイズと前記検知部で検知された前記用紙のサイズとを比較し、比較により不一致が発生した場合に、不一致の原因が、前記主走査幅又は前記副走査幅のいずれであるかにより、前記不一致に対するメッセージの内容を切り替える、
ことを特徴とする画像形成装置。
【請求項２】
前記制御部は、前記不一致が発生した場合の前記メッセージとして、給紙に関する設定変更催促、画像形成に関する設定変更催促、用紙の交換催促を含む、
ことを特徴とする請求項１に記載の画像形成装置。
【請求項３】
前記制御部は、
前記主走査幅に起因して前記不一致が発生した場合の前記メッセージとして、設定された値と検知された値、前記画像形成装置における前記用紙の設定変更催促、前記給紙装置における前記用紙の交換催促を含み、
前記副走査幅に起因して前記不一致が発生した場合の前記メッセージとして、設定された値と検知された値、前記画像形成装置における前記用紙の設定変更催促、前記給紙装置における前記用紙の設定変更催促を含む、
ことを特徴とする請求項１−２のいずれか一項に記載の画像形成装置。
【請求項４】
前記制御部は、前記不一致が発生した場合の前記メッセージとして、実行中の作業の中止指示催促を含む、
ことを特徴とする請求項３に記載の画像形成装置。
【請求項５】
前記給紙装置における前記用紙が不定型の長尺用紙であり、設定に基づいて前記副走査幅で断裁する場合に、
前記制御部は、前記副走査幅に起因して前記不一致が発生した場合の前記給紙装置における前記用紙の設定変更催促として、断裁位置の設定変更の催促を含める、
ことを特徴とする請求項３に記載の画像形成装置。
【請求項６】
前記制御部は、
前記給紙装置における前記用紙が不定型の長尺用紙であるか定型用紙であるかにより、前記不一致に対するメッセージの内容を切り替える、
ことを特徴とする請求項１−５のいずれか一項に記載の画像形成装置。
【請求項７】
前記制御部は、前記不一致が発生した場合に実行中の作業を中断し、前記中断の後に前記不一致が解消した場合に中断した作業を再開する、
ことを特徴とする請求項１−６のいずれか一項に記載の画像形成装置。
【請求項８】
それぞれ独立して用紙について設定可能な画像形成装置と給紙装置とが接続された画像形成システムであって、
前記画像形成装置は、
前記給紙装置から送られる用紙のサイズとして、前記用紙の搬送方向である副走査幅と、該副走査幅と直交する方向の主走査幅を検知する検知部と、
前記用紙に画像を形成する画像形成部と、
画像の形成について制御すると共に、いずれかの部位に対して通知するメッセージを生成する制御部と、を備え、
前記制御部は、前記画像形成装置に設定されている前記用紙のサイズと前記検知部で検知された前記用紙のサイズとを比較し、比較により不一致が発生した場合に、不一致の原因が、前記主走査幅又は前記副走査幅のいずれであるかにより、前記不一致に対する前記メッセージの内容を切り替える、
ことを特徴とする画像形成システム。
【請求項９】
前記制御部は、前記不一致が発生した場合の前記メッセージとして、給紙に関する設定変更催促、画像形成に関する設定変更催促、用紙の交換催促を含む、
ことを特徴とする請求項８に記載の画像形成システム。
【請求項１０】
前記制御部は、
前記主走査幅に起因して前記不一致が発生した場合の前記メッセージとして、設定された値と検知された値、前記画像形成装置における前記用紙の設定変更催促、前記給紙装置における前記用紙の交換催促を含み、
前記副走査幅に起因して前記不一致が発生した場合の前記メッセージとして、設定された値と検知された値、前記画像形成装置における前記用紙の設定変更催促、前記給紙装置における前記用紙の設定変更催促を含む、
ことを特徴とする請求項８−９のいずれか一項に記載の画像形成システム。
【請求項１１】
前記制御部は、前記不一致が発生した場合の前記メッセージとして、実行中の作業の中止指示催促を含む、
ことを特徴とする請求項１０に記載の画像形成システム。
【請求項１２】
前記給紙装置は、前記用紙としての不定型の長尺用紙と、前記設定に基づいて前記副走査幅で断裁する断裁部と、を備え、
前記制御部は、前記副走査幅に起因して前記不一致が発生した場合の前記給紙装置における前記用紙の設定変更催促として、前記断裁部の断裁位置の設定変更の催促を含める、
ことを特徴とする請求項１０に記載の画像形成システム。
【請求項１３】
前記制御部は、前記給紙装置における前記用紙が不定型の長尺用紙であるか定型用紙であるかにより、前記不一致に対するメッセージの内容を切り替える、
ことを特徴とする請求項８−１２のいずれか一項に記載の画像形成システム。
【請求項１４】
前記制御部は、前記不一致が発生した場合に実行中の作業を中断し、前記中断の後に前記不一致が解消した場合に中断した作業を再開する、
ことを特徴とする請求項８−１３のいずれか一項に記載の画像形成システム。
【請求項１５】
それぞれ独立して用紙について設定可能な画像形成装置と給紙装置とが接続された状態での画像形成を制御する画像形成制御方法であって、
前記給紙装置は前記画像形成装置に用紙を供給し、
前記画像形成装置は、前記給紙装置から送られる用紙のサイズとして、前記用紙の搬送方向である副走査幅と、該副走査幅と直交する方向の主走査幅を検知し、
前記画像形成装置において前記用紙に画像を形成する際に、
前記画像形成装置に設定されている前記用紙のサイズと前記画像形成装置にて検知された前記用紙のサイズとが不一致である場合に、不一致の原因が、前記主走査幅又は前記副走査幅のいずれであるかにより、いずれかの部位に対して通知するメッセージを生成する際に、前記不一致に対するメッセージの内容を切り替える、
ことを特徴とする画像形成制御方法。
【請求項１６】
前記不一致が発生した場合の前記メッセージとして、給紙に関する設定変更催促、画像形成に関する設定変更催促、用紙の交換催促を含む、
ことを特徴とする請求項１５に記載の画像形成制御方法。
【請求項１７】
前記主走査幅に起因して前記不一致が発生した場合の前記メッセージとして、設定された値と検知された値、前記画像形成装置における前記用紙の設定変更催促、前記給紙装置における前記用紙の交換催促を含み、
前記副走査幅に起因して前記不一致が発生した場合の前記メッセージとして、設定された値と検知された値、前記画像形成装置における前記用紙の設定変更催促、前記給紙装置における前記用紙の設定変更催促を含む、
ことを特徴とする請求項１５−１６のいずれか一項に記載の画像形成制御方法。
【請求項１８】
前記不一致が発生した場合の前記メッセージとして、実行中の作業の中止指示催促を含む、
ことを特徴とする請求項１７に記載の画像形成制御方法。
【請求項１９】
前記給紙装置における前記用紙が不定型の長尺用紙であり、設定に基づいて前記副走査幅で断裁する場合に、
前記副走査幅に起因して前記不一致が発生した場合の前記給紙装置における前記用紙の設定変更催促として、断裁位置の設定変更の催促を含める、
ことを特徴とする請求項１７に記載の画像形成制御方法。
【請求項２０】
前記給紙装置における前記用紙が不定型の長尺用紙であるか定型用紙であるかにより、前記不一致に対するメッセージの内容を切り替える、
ことを特徴とする請求項１５−１９のいずれか一項に記載の画像形成制御方法。
【請求項２１】
前記不一致が発生した場合に実行中の作業を中断し、前記中断の後に前記不一致が解消した場合に中断した作業を再開する、
ことを特徴とする請求項１５−２０のいずれか一項に記載の画像形成制御方法。
【発明の詳細な説明】
【技術分野】
【０００１】
本発明は、画像形成装置及び画像形成システム並びに画像形成制御方法に関し、特に、それぞれ独立して用紙について設定可能な画像形成装置と給紙装置とが接続された状態での画像形成を制御する技術に関する。
【背景技術】
【０００２】
それぞれ独立した給紙装置と画像形成装置とが接続されて、給紙装置から給紙される用紙に対して画像形成装置で画像形成を実行する画像形成システムが存在している。
【０００３】
また、このような給紙装置と画像形成装置とが接続された画像形成システムにおいて、画像形成装置と給紙装置とのそれぞれで独立して用紙について設定可能なものがある。
【０００４】
例えば、給紙装置と画像形成装置とが異なる会社の製品であるような場合、通信でやりとりできる情報は基本的なものであるため、画像形成装置と給紙装置とのそれぞれで独立して用紙について設定する必要がある。
【０００５】
このような画像形成システムにおいて、給紙装置と画像形成装置とで異なる設定になっていると、正常な画像形成を実行することはできない。すなわち用紙上の画像の配置が正常でなくなり、画像不正となる。あるいは、予定外の異なるサイズの用紙が搬送されて、画像形成装置内でジャム等の搬送不良を発生することも予想される。
【０００６】
なお、この種の問題を解決する技術としては、以下の特許文献に各種の関連提案がなされている。
【先行技術文献】
【特許文献】
【０００７】
【特許文献１】特開平１０−１９４５２９号公報
【特許文献２】特開２０１３−１７００７１号公報
【発明の概要】
【発明が解決しようとする課題】
【０００８】
以上の特許文献１では、画像形成装置において給紙された用紙のサイズ不一致が検出されると、給紙を止め、現在の用紙サイズに合わせてレジストローラの搬送速度を自動調整し、その用紙を排出した時点で画像形成装置を停止させる。この場合、ロール紙を給紙に使用した場合、サイズ不一致の用紙によってジャム等が発生することは防止できるものの、実行する予定だった画像形成を実行することはできない。
【０００９】
また、以上の特許文献２では、手差しトレイからの給紙において、手差しトレイのガイド幅で用紙の主走査幅を検知し、装置内部のセンサで用紙の副走査幅を検知している。そして、検出したサイズから該当する用紙サイズ候補を表示し、ユーザに選択させ、手差しトレイの設定に反映させる。なお、オペレータの求めるサイズが候補として存在しなければ手入力も可能である。
この場合、定型サイズのカット紙ではなくロール紙の給紙の場合、画像形成装置側では給紙装置から用紙が給紙されるまで主走査幅を検知出来ず、対応することが出来ない問題がある。
【００１０】
以上説明したように、画像形成装置と給紙装置とのそれぞれで独立して用紙について設定する場合において、給紙装置と画像形成装置とで設定が一致していない場合に、搬送不良や画像不正を防止しつつ、画像形成を継続することが望まれていた。
【００１１】
本発明は、画像形成装置と給紙装置とのそれぞれで独立して用紙について設定する場合において、給紙装置と画像形成装置とで設定が一致していない場合に、搬送不良や画像不正を防止しつつ、画像形成を継続可能な画像形成装置及び画像形成システム並びに画像形成制御方法を実現することを目的とする。
【課題を解決するための手段】
【００１２】
すなわち、前記した課題を解決するため、本発明の一側面が反映された画像形成装置、画像形成システム、画像形成制御方法は、以下のように構成される。
【００１３】
（１）本発明は、用紙について設定可能な給紙装置に接続され、前記給紙装置から用紙の供給を受け、前記給紙装置における設定とは独立して用紙について設定可能な画像形成装置、又は、給紙装置と画像形成装置とによる画像形成システム、又は、画像形成装置又は画像形成システムにおける画像形成制御方法であって、前記画像形成装置は、前記給紙装置から送られる用紙のサイズとして、前記用紙の搬送方向である副走査幅と、該副走査幅と直交する方向の主走査幅を検知する検知部と、前記用紙に画像を形成する画像形成部と、画像の形成について制御すると共に、いずれかの部位に対して通知するメッセージを生成する制御部と、を備え、前記制御部は、前記画像形成装置に設定されている前記用紙のサイズと前記検知部で検知された前記用紙のサイズとを比較し、比較により不一致が発生した場合に、不一致の原因が、前記主走査幅又は前記副走査幅のいずれであるかにより、前記不一致に対するメッセージの内容を切り替える。
【００１４】
（２）上記（１）において、前記制御部は、前記不一致が発生した場合の前記メッセージとして、給紙に関する設定変更催促、画像形成に関する設定変更催促、用紙の交換催促を含む。
【００１５】
（３）上記（１）−（２）において、前記制御部は、前記主走査幅に起因して前記不一致が発生した場合の前記メッセージとして、設定された値と検知された値、前記画像形成装置における前記用紙の設定変更催促、前記給紙装置における前記用紙の交換催促を含み、前記副走査幅に起因して前記不一致が発生した場合の前記メッセージとして、設定された値と検知された値、前記画像形成装置における前記用紙の設定変更催促、前記給紙装置における前記用紙の設定変更催促を含む。
【００１６】
（４）上記（３）において、前記制御部は、前記不一致が発生した場合の前記メッセージとして、実行中の作業の中止指示催促を含む。
【００１７】
（５）上記（３）において、前記給紙装置における前記用紙が不定型の長尺用紙であり、設定に基づいて前記副走査幅で断裁する場合に、前記制御部は、前記副走査幅に起因して前記不一致が発生した場合の前記給紙装置における前記用紙の設定変更催促として、断裁位置の設定変更の催促を含める。
【００１８】
（６）上記（１）−（５）において、前記制御部は、前記給紙装置における前記用紙が不定型の長尺用紙であるか定型用紙であるかにより、前記不一致に対するメッセージの内容を切り替える。
【００１９】
（７）上記（１）−（６）において、前記制御部は、前記不一致が発生した場合に実行中の作業を中断し、前記中断の後に前記不一致が解消した場合に中断した作業を再開する。
【発明の効果】
【００２０】
本発明の一側面が反映された画像形成装置、画像形成システム、画像形成制御方法によると、以下のような効果が得られる。
【００２１】
（１）本発明は、用紙について設定可能な給紙装置に接続され、給紙装置から用紙の供給を受け、給紙装置における設定とは独立して用紙について設定可能な画像形成装置、又は、給紙装置と画像形成装置とによる画像形成システム、又は、画像形成装置又は画像形成システムにおける画像形成制御方法において、画像形成装置に設定されている用紙のサイズと検知部で検知された用紙のサイズとを比較し、比較により不一致が発生した場合に、不一致の原因が、前記主走査幅又は前記副走査幅のいずれであるかにより、前記不一致に対するメッセージの内容を切り替えるため、画像形成装置と給紙装置とのそれぞれで独立して用紙について設定する場合において、給紙装置と画像形成装置とで設定が一致していない場合に、不一致解消のための適切な対処が可能になり、搬送不良や画像不正を防止しつつ、画像形成を継続できる。
【００２２】
（２）上記（１）において、不一致が発生した場合のメッセージとして、給紙に関する設定変更催促、画像形成に関する設定変更催促、用紙の交換催促を含むことで、不一致を適切に解消することが可能になり、搬送不良や画像不正を防止しつつ、画像形成を継続できる。
【００２３】
（３）上記（１）−（２）において、主走査幅に起因して不一致が発生した場合のメッセージとして、画像形成装置における用紙の設定変更催促と、給紙装置における前記用紙の交換催促を含み、副走査幅に起因して不一致が発生した場合のメッセージとして、画像形成装置における用紙の設定変更催促と、給紙装置における用紙の設定変更催促を含むため、不一致を適切に解消することが可能になり、搬送不良や画像不正を防止しつつ、画像形成を継続できる。
【００２４】
（４）上記（３）において、不一致が発生した場合のメッセージとして実行中の作業の中止指示催促を含むことで、給紙装置と画像形成装置とで用紙の設定が一致していない場合に、搬送不良や画像不正を確実に防止できる。
【００２５】
（５）上記（３）において、給紙装置における用紙が不定型の長尺用紙であり、設定に基づいて副走査幅で断裁する場合に、副走査幅に起因して不一致が発生した場合の給紙装置における用紙の設定変更催促として、断裁位置の設定変更の催促を含めることで、不一致の解消が可能になり、搬送不良や画像不正を防止しつつ、画像形成を継続できる。
【００２６】
（６）上記（１）−（５）において、給紙装置における用紙が不定型の長尺用紙であるか定型用紙であるかにより、不一致に対するメッセージの内容を切り替えることにより、適切なメッセージを通知して、搬送不良や画像不正を防止しつつ、画像形成を継続できる。
【００２７】
（７）上記（１）−（６）において、不一致が発生した場合に実行中の作業を中断し、中断の後に不一致が解消した場合に中断した作業を再開することにより、給紙装置と画像形成装置とで用紙の設定が一致していない場合に、搬送不良や画像不正を防止しつつ、画像形成を継続できる。
【図面の簡単な説明】
【００２８】
【図１】本発明の実施形態の画像形成システムの構成を示す構成図である。
【図２】本発明の実施形態の画像形成システムの構成を示す構成図である。
【図３】本発明の実施形態の給紙装置の動作を示すフローチャートである。
【図４】本発明の実施形態の画面表示例を示す説明図である。
【図５】本発明の実施形態の画像形成装置の動作を示すフローチャートである。
【図６】本発明の実施形態の画面表示例を示す説明図である。
【図７】本発明の実施形態の画面表示例を示す説明図である。
【図８】本発明の実施形態の画面表示例を示す説明図である。
【発明を実施するための形態】
【００２９】
以下、図面を参照して、画像形成装置、画像形成システム、画像形成制御方法において、画像形成装置と給紙装置とのそれぞれで独立して用紙について設定する場合において、給紙装置と画像形成装置とで設定が一致していない場合に、搬送不良や画像不正を防止しつつ、画像形成を継続可能にする実施形態を詳細に説明する。
【００３０】
〔画像形成システムの構成〕
ここで、給紙装置５０と画像形成装置１００とが接続された画像形成システムの構成例を、図１と図２に基づいて詳細に説明する。
【００３１】
給紙装置５０は、給紙装置５０内の各部を制御する制御部５１と、接続されている他の装置（外部機器）と通信するための通信部５２と、利用者による操作入力の受け付けと給紙装置５０の状態表示とを行う操作表示部５３と、各種設定を記憶する記憶部５４と、給紙トレイ又は用紙ロールから用紙を画像形成装置１００に向けて給紙する給紙部５５と、給紙部５５から給紙される用紙の搬送速度の変動を吸収する給紙調整部５６と、ロール紙を搬送方向の所定位置で断裁する断裁部５７と、給紙装置５０内で用紙を搬送する搬送部５８と、を備えて構成されている。
【００３２】
なお、図２では、給紙装置５０として、用紙ロールから不定型の長尺用紙を、断裁部５７で断裁しつつ給紙する場合を具体例として示している。
【００３３】
画像形成装置１００は、画像形成装置１００内の各部を制御する制御部１０１と、接続されている他の装置（外部機器）と通信するための通信部１０２と、利用者による操作入力の受け付けと画像形成装置１００の状態表示とを行う操作表示部１０３と、各種設定を記憶する記憶部１０４と、給紙トレイに収容された用紙を給紙可能な給紙部１０５と、装置内で用紙を搬送する画像形成搬送部１０７と、撮像素子により原稿の画像を読み取って原稿画像データを生成する原稿読取部１１０と、給紙される用紙のサイズを検知する検知部１２０と、画像形成する際の画像データや各種データを記憶するデータ記憶部１３０と、画像形成に必要な各種画像処理を実行する画像処理部１４０と、画像形成命令と画像データとに基づいて用紙上に画像を形成する画像形成部１５０と、用紙上に形成されたトナーによる画像を熱と圧力とで安定させる定着部１６０と、を備えて構成されている。
【００３４】
なお、給紙や画像形成や搬送に関しては各種の構造が考えられるため、図２では一例を示しており、この形態に限定されるものではない。
【００３５】
また、検知部１２０は、主走査方向を長手方向とするラインセンサ等を含んで構成されており、給紙装置５０又は給紙部１０５から給紙される用紙について、主走査幅を検知することが可能である。また、同様に、給紙装置５０又は給紙部１０５から給紙される用紙について、搬送中の用紙の搬送速度と、先端及び後端の通過タイミングとから用紙の副走査幅を検知することが可能である。なお、用紙の主走査幅と副走査幅とは検知部１２０が算出しても良いし、検知部１２０の検知結果と制御部１０１の処理とによって算出しても良い。
【００３６】
また、給紙装置５０では、操作表示部５３において用紙の設定が可能である。そして、給紙装置５０で長尺用紙が使用される場合には、操作表示部５３に用紙条件設定画面５３ａ（図４参照）が表示される（図３中のステップＳ１１）。この用紙条件設定画面５３ａにおいて、オペレータが用紙サイズを入力する（図３中のステップＳ１２）。トレイに収容された定型サイズの用紙であれば、同様な用紙条件設定画面（図示省略）を介して、主走査幅と副走査幅とがオペレータにより入力される。用紙がロール紙であれば、図４のような用紙条件設定画面５３ａにおいて、断裁する長さとして副走査幅がオペレータにより入力される。そして、制御部５１は、操作表示部５３で入力された設定値を記憶部５４に記憶して（図３中のステップＳ１３）、給紙装置設定の処理を終了する。
【００３７】
また、同様にして、画像形成装置１００側においても、操作表示部１０３の設定画面（図示せず）において、画像形成に使用する用紙について、用紙をどの給紙部から給紙するか、その際の用紙のサイズを設定することが可能である。
【００３８】
〔画像形成装置、画像形成システムの全体動作〕
以下、図５のフローチャートと図６以降の表示画面説明図を参照して、画像形成システムの全体動作説明を行う。
【００３９】
ここでは、給紙装置５０と画像形成装置１００とで、それぞれ用紙種類や用紙サイズなどの用紙条件設定が完了していることを前提とする。
【００４０】
制御部１０１はジョブについて画像形成の開始を、通信部１０２と通信部５２を介して制御部５１に通知する（図５中のステップＳ１００）。また、制御部１０１は、画像形成装置１００内部の各部に対して画像形成の開始の制御を行う。
【００４１】
制御部１０１から画像形成開始の通知を受けた制御部５１は、操作表示部５３で設定された用紙サイズに合致する用紙を画像形成装置１００に対して給紙する（図５中のステップＳ１０１）。
【００４２】
ここで、給紙装置５０は、設定された用紙が定型サイズの用紙であれば給紙部５５内で設定されたサイズの用紙が収容されているトレイから給紙し、設定された用紙がロール紙であれば給紙部５５の用紙ロールからの不定型の長尺用紙を断裁部５７で断裁しつつ設定サイズにして給紙する。
【００４３】
給紙装置５０からの給紙を受けた画像形成装置１００では、給紙装置５０からの用紙を受け入れる受け入れ口の近傍に設けられた検知部１２０が、搬送される用紙の主走査幅と副走査幅とを検知する（図５中のステップＳ１０２）。なお、主走査幅については検知部１２０内のセンサの検知結果から検知し、副走査幅については検知部１２０内のセンサの先端〜後端の通過時間と搬送速度から検知する。そして、検知部１２０は検知結果を制御部１０１に通知する。
【００４４】
検知部１２０から用紙サイズの通知を受けた制御部１０１は、操作表示部１０３から設定された用紙条件に含まれる用紙サイズと検知部１２０から通知された用紙サイズとを比較する（図５中のステップＳ１０３）。
【００４５】
比較の結果、主走査幅において設定と検知結果が一致しており（図５中のステップＳ１０４でＹＥＳ）、副走査幅において設定と検知結果が一致していれば（図５中のステップＳ１０５でＹＥＳ）、制御部１０１は、画像形成を実行するよう画像形成部１５０を制御する（図５中のステップＳ１１８）。
【００４６】
比較の結果、主走査幅において設定と検知結果に不一致が発生している場合（図５中のステップＳ１０４でＮＯ）、制御部１０１は、用紙搬送などの画像形成装置１００の動作を停止させる（図５中のステップＳ１０６）。また、制御部１０１は、制御部５１に対して給紙の停止も通知する。
【００４７】
そして、制御部１０１は、操作表示部１０３の表示画面１０３Ａ中に主走査幅の不一致発生を通知するメッセージとしてポップアップ画面１０３Ａａ（図６参照）を表示する（図５中のステップＳ１０７）。
【００４８】
なお、画像形成装置１００近傍で画像形成装置１００と通信可能な携帯端末装置が存在する場合には、制御部１０１は、上述した主走査幅の不一致発生を通知するポップアップ画面１０３Ａａ（図６参照）と同様な画面データを携帯端末装置に送信して通知しても良い。また、画像形成装置１００と通信可能な外部ＰＣが存在する場合には、制御部１０１は、上述した主走査幅の不一致発生を通知するポップアップ画面１０３Ａａ（図６参照）と同様な画面データを外部ＰＣに送信して通知しても良い。
【００４９】
ここで、不一致発生を通知するメッセージとしては、不一致の原因が主走査幅又は副走査幅であることを示すメッセージ、設定された値と検知された値、給紙装置５０での設定変更催促のメッセージ、給紙装置５０での用紙の交換催促のメッセージ、画像形成装置１００での設定変更催促のメッセージ、実行中の作業（画像形成）の中止指示催促のメッセージ、などを含むことが望ましい。
【００５０】
なお、図６に示す不一致発生を通知するメッセージとしてのポップアップ画面１０３Ａａは、給紙部５５にロール紙が装着された場合の一例であり、不一致の原因が主走査幅であることを示すメッセージ、画像形成装置１００での設定変更催促のメッセージ、給紙装置５０での用紙の交換催促のメッセージ、実行中の作業（画像形成）の中止指示催促のメッセージ、主走査幅に設定された値と検知された値、が含まれている。なお、ロール紙を使用する場合に主走査幅が不一致であることを解消するには、画像形成装置１００での主走査幅の設定を変更するか、給紙装置５０で用紙ロールを交換する必要があり、給紙装置５０での設定変更では対処できない。
【００５１】
オペレータがジョブを中止したい場合は、ポップアップ画面１０３Ａａで［ジョブ中止］を選択する。ポップアップ画面１０３Ａａで［ジョブ中止］が選択された場合には（図５中のステップＳ１０８で「ジョブ中止」）、制御部１０１は実行しようとしていたジョブの画像形成を中止して動作を終了する（図５中のエンド）。
【００５２】
オペレータが画像形成装置１００での設定を変更したいか、又は、オペレータが給紙装置５０の用紙ロールを交換したい場合は、ポップアップ画面１０３Ａａで［設定変更］を選択する（図５中のステップＳ１０８で「設定変更」）。これにより、設定変更に対応する別画面又はポップアップ画面が操作表示部１０３に表示され、オペレータは、画像形成装置１００での設定変更か、給紙装置５０の用紙ロール交換を実行する。
【００５３】
なお、この時点で給紙されている用紙について、再利用できない場合には搬送して機外に排出するように制御し、再利用できる場合には後述する停止解除により画像形成に利用するよう制御する。
【００５４】
そして、制御部１０１は、以上の設定変更で主走査幅の不一致が解消したか否かを確認する（図５中のステップＳ１１０）。画像形成装置１００での設定変更の場合には、制御部１０１は、変更された設定の値と検出された値とを比較して、一致か不一致かを確認する。給紙部５５での用紙変更の場合には、制御部１０１は、変更された用紙を給紙させて、検知部１２０で検知して、設定の値と検出された値とを比較して、一致か不一致かを確認する。
【００５５】
以上の設定変更で主走査幅の不一致が解消しない場合（図５中のステップＳ１１０でＮＯ）、制御部１０１は、ポップアップ画面１０３Ａａにおけるオペレータの選択に戻って処理を繰り返す（図５中のステップＳ１０８）。
【００５６】
以上の設定変更で主走査幅の不一致が解消した場合（図５中のステップＳ１１０でＹＥＳ）、制御部１０１は、用紙搬送の停止状態を解除し、制御部５１に対して給紙の再開を指示する（図５中のステップＳ１１１）。
【００５７】
そして、主走査幅が一致している場合（図５中のステップＳ１０４でＹＥＳ）、又は、主走査幅の不一致が解消して動作停止が解除された場合（図５中のステップＳ１１１）であって、副走査幅において画像形成装置１００での設定と検知結果に不一致が発生している場合（図５中のステップＳ１０５でＮＯ）、制御部１０１は、用紙搬送などの画像形成装置１００の動作を停止させる（図５中のステップＳ１１２）。また、制御部１０１は、制御部５１に対して給紙の停止も通知する。
【００５８】
そして、制御部１０１は、操作表示部１０３の表示画面１０３Ａ中に副走査幅の不一致発生を通知するメッセージとしてポップアップ画面１０３Ａｂ（図７参照）を表示する（図５中のステップＳ１１３）。
【００５９】
なお、画像形成装置１００近傍で画像形成装置１００と通信可能な携帯端末装置が存在する場合には、制御部１０１は、上述した副走査幅の不一致発生を通知するポップアップ画面１０３Ａｂ（図７参照）と同様な画面データを携帯端末装置に送信して通知しても良い。また、画像形成装置１００と通信可能な外部ＰＣが存在する場合には、制御部１０１は、上述した副走査幅の不一致発生を通知するポップアップ画面１０３Ａｂ（図７参照）と同様な画面データを外部ＰＣに送信して通知しても良い。
【００６０】
ここで、不一致発生を通知するメッセージとしては、不一致の原因が主走査幅又は副走査幅であることを示すメッセージ、設定された値と検知された値、給紙装置５０での設定変更催促のメッセージ、給紙装置５０での用紙の交換催促のメッセージ、画像形成装置１００での設定変更催促のメッセージ、実行中の作業（画像形成）の中止指示催促のメッセージ、などを含むことが望ましい。
【００６１】
なお、図７に示す不一致発生を通知するメッセージとしてのポップアップ画面１０３Ａｂは、給紙部５５にロール紙が装着された場合の一例であり、不一致の原因が副走査幅であることを示すメッセージ、画像形成装置１００での設定変更催促のメッセージ、給紙装置５０での設定変更催促のメッセージ、実行中の作業（画像形成）の中止指示催促のメッセージ、副走査幅に設定された値と検知された値、が含まれている。なお、ロール紙を使用する場合に副走査幅が不一致であることを解消するには、画像形成装置１００での副走査幅の設定を変更するか、給紙装置５０で副走査幅（断裁部５７による断裁位置）の設定を変更する必要がある。
【００６２】
オペレータがジョブを中止したい場合は、ポップアップ画面１０３Ａｂで［ジョブ中止］を選択する。ポップアップ画面１０３Ａｂで［ジョブ中止］が選択された場合には（図５中のステップＳ１１４で「ジョブ中止」）、制御部１０１は実行しようとしていたジョブの画像形成を中止して動作を終了する（図５中のエンド）。
【００６３】
オペレータが画像形成装置１００での設定を変更したいか、又は、オペレータが給紙装置５０での設定を変更したい場合は、ポップアップ画面１０３Ａｂで［設定変更］を選択する（図５中のステップＳ１１４で「設定変更」）。これにより、設定変更に対応する別画面又はポップアップ画面が操作表示部１０３に表示され、オペレータは、画像形成装置１００での設定変更か、給紙装置５０での設定変更を実行する。
【００６４】
なお、この時点で給紙されている用紙について、再利用できない場合には搬送して機外に排出するように制御し、再利用できる場合には後述する停止解除により画像形成に利用するよう制御する。
【００６５】
そして、制御部１０１は、以上の設定変更で副走査幅の不一致が解消したか否かを確認する（図５中のステップＳ１１６）。制御部１０１は、変更された設定の値と検出された値とを比較して、一致か不一致かを確認する。
【００６６】
以上の設定変更で副走査幅の不一致が解消しない場合（図５中のステップＳ１１６でＮＯ）、制御部１０１は、ポップアップ画面１０３Ａｂにおけるオペレータの選択に戻って処理を繰り返す（図５中のステップＳ１１４）。
【００６７】
以上の設定変更で副走査幅の不一致が解消した場合（図５中のステップＳ１１６でＹＥＳ）、制御部１０１は、用紙搬送の停止状態を解除し、制御部５１に対して給紙の再開を指示する（図５中のステップＳ１１７）。
【００６８】
以上のようにして主走査幅と副走査幅との不一致が解消した場合、制御部１０１は、画像形成を実行するよう画像形成部１５０を制御する（図５中のステップＳ１１８）。
【００６９】
以上のように、用紙について設定可能な給紙装置５０に接続され、給紙装置５０から用紙の供給を受け、給紙装置５０における設定とは独立して用紙について設定可能な画像形成装置１００、又は、給紙装置５０と画像形成装置１００とによる画像形成システム、又は、これらのような構成における画像形成制御方法において、画像形成装置１００に設定されている用紙のサイズと検知部１２０で検知された用紙のサイズとを比較し、比較により不一致が発生した場合に、不一致の原因が、主走査幅又は副走査幅のいずれであるかにより、不一致に対するメッセージの内容を切り替えるため、画像形成装置１００と給紙装置５０とのそれぞれで独立して用紙について設定する場合において、給紙装置と画像形成装置とで設定が一致していない場合に、不一致解消のための適切な対処が可能になり、搬送不良や画像不正を防止しつつ、画像形成を継続できる。
【００７０】
〔第２の実施形態〕
なお、以上の説明では、給紙装置５０において、給紙部５５からロール紙が断裁部５７で断裁されて画像形成装置１００に給紙される場合であった。
【００７１】
ここで、給紙装置５０に定型サイズの用紙がトレイに収容されていて画像形成装置１００に給紙される場合、または、給紙部１０５に定型サイズの用紙がトレイに収容されていて給紙される場合、について説明する。
【００７２】
このように定型サイズの用紙を給紙する場合に主走査幅に不一致が生じた場合は、不一致の原因が主走査幅であることを示すメッセージ、画像形成装置１００での設定変更催促のメッセージ、給紙する用紙の変更（トレイの選択）催促のメッセージ、実行中の作業（画像形成）の中止指示催促のメッセージ、主走査幅に設定された値と検知された値、が含まれるポップアップ画面を表示又は通知するようにする。
【００７３】
一方、定型サイズの用紙を給紙する場合に副走査幅に不一致が生じた場合も、画像形成装置１００における設定変更、又は、給紙する用紙の交換が必要である。このため、ロール紙を使用して副走査幅に不一致が生じた場合の図７のポップアップ画面１０３Ａｂ（画像形成装置１００における設定変更、又は、給紙装置５０における設定変更）をそのまま使うことができない。
【００７４】
そこで、定型サイズの用紙を給紙する場合に副走査幅に不一致が生じた場合は、制御部１０１は、図８に示すように、不一致の原因が副走査幅であることを示すメッセージ、画像形成装置１００での設定変更催促のメッセージ、給紙装置５０での用紙の交換催促のメッセージ、実行中の作業（画像形成）の中止指示催促のメッセージ、副走査幅に設定された値と検知された値、が含まれるポップアップ画面１０３Ａｃを表示又は通知するようにする。
【００７５】
すなわち、制御部１０１は、給紙する用紙がロール紙（長尺用紙）であるか定型用紙であるかにより、不一致に対するメッセージの内容を切り替えるように制御する。
【００７６】
このように不一致に対するメッセージの内容を切り替えるため、画像形成装置１００と給紙装置５０とのそれぞれで独立して用紙について設定する場合において、給紙装置と画像形成装置とで設定が一致していない場合に、不一致解消のための適切な対処が可能になり、搬送不良や画像不正を防止しつつ、画像形成を継続できる。
【００７７】
〔その他の実施形態〕
以上の説明では、画像形成装置１００内の制御部１０１が各種制御を行うようにしていたが、これに限定されるものではない。
【００７８】
例えば、画像形成装置１００と通信可能な外部ＰＣが上述した各種制御を実行することも可能である。また、画像形成装置１００と通信可能な外部ＰＣ内のプリンタドライバが上述した各種制御を実行することも可能である。
【符号の説明】
【００７９】
５０  給紙装置
１００  画像形成装置
１０１  制御部
１０２  通信部
１０３  操作表示部
１０４  記憶部
１０５  給紙部
１０７  画像形成搬送部
１１０  原稿読取部
１２０  検知部
１３０  データ記憶部
１４０  画像処理部
１５０  画像形成部
１６０  定着部
【図１】
2016051155.tif 000003
【図２】
2016051155.tif 000004
【図３】
2016051155.tif 000005
【図４】
2016051155.tif 000006
【図５】
2016051155.tif 000007
【図６】
2016051155.tif 000008
【図７】
2016051155.tif 000009
【図８】
2016051155.tif 000010